(57)【要約】【解決手段】裏面に、当該裏面上を高さ方向に沿って延びる仮想基準線を境にして、幅方向の両側に振り分けて所定の各面取り幅に対応する距離だけ離間させて設けられた高さ方向に沿って延びる２個の溝部を１組とする、１個又は２個以上の溝部を組間で互いに共有することのある複数組の溝部が、前記仮想基準線を共通にして設けられ、各溝部において屈曲可能にしてあるシート状又は板状のコーナー部保護部材が提供される。【効果】本発明に係るコーナー部保護部材は、裏面に、所定の各面取り幅に対応する距離だけ離間した２個を１組とする複数組の溝部が設けられているので、施工せんとするコーナー部の面取り幅に対応する距離だけ互いに離間した１組の溝部を選択し、その２個の溝部において屈曲させることにより、面取りが施されたコーナー部に装着することができる。【選択図】図１
2006177114.tif 000002
【特許請求の範囲】
【請求項１】
裏面に、高さ方向に沿って延びる２個の溝部が、所定の面取り幅に対応する距離だけ幅方向に離間して設けられ、各溝部において屈曲可能にしてあるシート状又は板状のコーナー部保護部材。
【請求項２】
前記２個の溝部の中間に、さらに１個の高さ方向に沿って延びる溝部が設けられ、その溝部においても屈曲可能にしてある請求項１記載のシート状又は板状のコーナー部保護部材。
【請求項３】
裏面に、当該裏面上を高さ方向に沿って延びる一本の仮想基準線を境にして、幅方向の両側に振り分けて所定の各面取り幅に対応する距離だけ離間させて設けられた、高さ方向に沿って延びる２個の溝部を１組とする、１個又は２個以上の溝部を組間で互いに共有することのある複数組の溝部が、前記仮想基準線を共通にして設けられ、各溝部において屈曲可能にしてあるシート状又は板状のコーナー部保護部材。
【請求項４】
請求項３記載のシート状又は板状のコーナー部保護部材において、複数の溝部の一部又は全部が、裏面位置に代えて、対応する表面位置に設けられたシート状又は板状のコーナー部保護部材。
【請求項５】
裏面に、高さ方向に沿って延びる第１組から第９組までの９組の溝部が設けられ、前記仮想基準線を境にして裏面の一方側には、第１組及び第３組が共有する溝部、第２組、第４組、第５組及び第６組が共有する溝部、並びに、第７組、第８組及び第９組が共有する溝部が、前記仮想基準線から幅方向にそれぞれ１０ｍｍ、１５ｍｍ及び３０ｍｍだけ離間して設けられ、前記仮想基準線を境にして裏面の他方側には、第１組及び第２組が共有する溝部、第３組、第４組及び第７組が共有する溝部、第５組及び第８組が共有する溝部、並びに、第６組及び第９組が共有する溝部が、前記仮想基準線から幅方向にそれぞれ１０ｍｍ、２０ｍｍ、２５ｍｍ及び３０ｍｍだけ離間して設けられた請求項３記載のシート状又は板状のコーナー部保護部材。
【請求項６】
請求項５記載のシート状又は板状のコーナー部保護部材において、前記仮想基準線の一方側に設けられた、第１組及び第３組が共有する溝部、並びに、第７組、第８組及び第９組が共有する溝部と、前記仮想基準線の他方側に設けられた、第１組及び第２組が共有する溝部、並びに、第６組及び第９組が共有する溝部とが、裏面位置に代えて、対応する表面位置に設けられたシート状又は板状のコーナー部保護部材。
【請求項７】
裏面に、前記仮想基準線に沿ってさらに１個の溝部が設けられ、その溝部においても屈曲可能にしてある請求項３〜６のいずれか１項記載のシート状又は板状のコーナー部保護部材。
【発明の詳細な説明】
【技術分野】
【０００１】
本発明は、柱、壁などのコーナー部を損傷から保護するための保護部材に関する。
【背景技術】
【０００２】
柱、壁などの出隅部は損傷を受け易い。このため、従来、それらの出隅部を損傷から保護するために、出隅部保護部材が提案されている。例えば、下記の特許文献１には、裏側略中央部に屈曲を容易にするための溝を有する断面Ｌ字状の出隅部保護部材が提案されている。確かに、この出隅部保護部材は、裏側略中央部に設けた溝において屈曲させることにより、簡単に、断面Ｌ字状の出隅部に装着することができる。
【０００３】
【特許文献１】特開平１０−３１７６３２号公報（請求項１）
【発明の開示】
【発明が解決しようとする課題】
【０００４】
近年、危険防止などのために出隅部に面取りが施される場合がある。しかるところ、上記の従来の出隅部保護部材は屈曲を容易にするための溝を１個しか有しないので、屈曲のための溝を２個必要とする面取りが施された出隅部の保護部材としては使用し得ない。特許文献１には、裏側にさらに１個又は複数個の溝を形成してもよいと記載されているが、この別途形成される溝は、硬質の出隅部保護部材に可撓性を付与して、当該出隅部保護部材の壁面へのなじみを良くするための溝であり、屈曲を容易乃至可能にするための溝ではない（特許文献１〔０００７〕第１〜７行及び〔００１３〕第１〜３行参照）。
【０００５】
本発明は、上記の従来のコーナー保護部材が抱える課題を解決するべくなされたものであり、面取りが施されたコーナー部（出隅部又は入隅部）に装着することができるコーナー部保護部材を提供することを目的とする。
【課題を解決するための手段】
【０００６】
上記の目的を達成するための請求項１記載の発明に係るコーナー部保護部材は、裏面に、高さ方向に沿って延びる２個の溝部が、所定の面取り幅に対応する距離だけ幅方向に離間して設けられ、各溝部において屈曲可能にしてあるシート状又は板状のコーナー部保護部材である。
【０００７】
請求項２記載の発明に係るコーナー部保護部材は、請求項１記載のコーナー部保護部材において、前記２個の溝部の中間に、さらに１個の高さ方向に沿って延びる溝部が設けられ、その溝部においても屈曲可能にしてあるシート状又は板状のコーナー部保護部材である。
【０００８】
請求項３記載の発明に係るコーナー部保護部材は、裏面に、当該裏面上を高さ方向に沿って延びる一本の仮想基準線を境にして、幅方向の両側に振り分けて所定の各面取り幅に対応する距離だけ離間させて設けられた、高さ方向に沿って延びる２個の溝部を１組とする、１個又は２個以上の溝部を組間で互いに共有することのある複数組の溝部が、前記仮想基準線を共通にして設けられ、各溝部において屈曲可能にしてあるシート状又は板状のコーナー部保護部材である。
【０００９】
請求項４記載の発明に係るコーナー部保護部材は、請求項３記載のコーナー部保護部材において、複数の溝部の一部又は全部が、裏面位置に代えて、対応する表面位置に設けられたシート状又は板状のコーナー部保護部材である。
【００１０】
請求項５記載の発明に係るコーナー部保護部材は、請求項３記載のコーナー部保護部材において、裏面に、高さ方向に沿って延びる第１組から第９組までの９組の溝部が設けられ、前記仮想基準線を境にして裏面の一方側には、第１組及び第３組が共有する溝部、第２組、第４組、第５組及び第６組が共有する溝部、並びに、第７組、第８組及び第９組が共有する溝部が、前記仮想基準線から幅方向にそれぞれ１０ｍｍ、１５ｍｍ及び３０ｍｍだけ離間して設けられ、前記仮想基準線を境にして裏面の他方側には、第１組及び第２組が共有する溝部、第３組、第４組及び第７組が共有する溝部、第５組及び第８組が共有する溝部、並びに、第６組及び第９組が共有する溝部が、前記仮想基準線から幅方向にそれぞれ１０ｍｍ、２０ｍｍ、２５ｍｍ及び３０ｍｍだけ離間して設けられたシート状又は板状のコーナー部保護部材である。本項において、溝部が仮想基準線から幅方向にＳｍｍだけ離間して設けられたとは、溝部が、仮想基準線から幅方向にＳｍｍだけその中心が離間するように、設けられたことを意味する。
【００１１】
請求項６記載の発明に係るコーナー部保護部材は、請求項５記載のコーナー部保護部材において、前記仮想基準線の一方側に設けられた、第１組及び第３組が共有する溝部、並びに、第７組、第８組及び第９組が共有する溝部と、前記仮想基準線の他方側に設けられた、第１組及び第２組が共有する溝部、並びに、第６組及び第９組が共有する溝部とが、裏面位置に代えて、対応する表面位置に設けられたシート状又は板状のコーナー部保護部材である。
【００１２】
請求項７記載の発明に係るコーナー部保護部材は、請求項３〜６のいずれか１項記載のコーナー部保護部材において、裏面に、前記仮想基準線に沿ってさらに１個の溝部が設けられ、その溝部においても屈曲可能にしてあるシート状又は板状のコーナー部保護部材である。
【発明の効果】
【００１３】
請求項１記載の発明に係るコーナー部保護部材は、裏面に、２個の溝部が所定の面取り幅に対応する距離だけ離間して設けられているので、各溝部において屈曲させることにより、面取りが施されたコーナー部に装着することができる。尤も、このコーナー部保護部材が対応可能な面取り幅は１種類である。
【００１４】
請求項２記載の発明に係るコーナー部保護部材は、２個の溝部の中間にさらに１個の溝部が設けられているので、その溝部において屈曲させることにより、断面Ｌ字状のコーナー部等の面取りが施されていないコーナー部に装着することができる。このコーナー部保護部材は、面取りが施されたコーナー部のみならず、面取りが施されていないコーナー部にも対応可能である。但し、このコーナー部保護部材が対応可能な面取り幅は１種類である。
【００１５】
請求項３記載の発明に係るコーナー部保護部材は、裏面に、所定の各面取り幅に対応する距離だけ離間した２個を１組とする複数組の溝部が設けられているので、施工せんとするコーナー部の面取り幅に対応する距離だけ互いに離間した１組の溝部を選択し、その２個の溝部において屈曲させることにより、面取りが施されたコーナー部に装着することができる。このコーナー部保護部材が対応可能な面取り幅は複数種類である。
【００１６】
請求項４記載の発明に係るコーナー部保護部材は、請求項３記載のコーナー部保護部材では裏面に設けられた複数の溝部のうちの一部又は全部の溝部が、表面に設けられているので、請求項３記載のコーナー部保護部材に比べて、コーナー部との接着面積が大きく、接着性良くコーナー部に装着できる。また、裏面に設けられた溝部には空洞が生じ易いが、表面に設けられた溝部には空洞が生じ得ないので、このコーナー部保護部材は、請求項３記載のコーナー部保護部材に比べて、外力に対する強度が高い。
【００１７】
請求項５記載の発明に係るコーナー部保護部材は、請求項３記載の発明に係るコーナー部保護部材において、裏面に、所定の各面取り幅に対応する距離だけ離間した２個の溝部を１組とする第１組から第９組までの９組の溝部が設けられているので、施工せんとするコーナー部の面取り幅に対応する距離だけ離間した２個の溝部（特定の１組）を選択し、それらの各溝部において屈曲させることにより、現在広く採用されている９種類の面取り幅（２０ｍｍ、２５ｍｍ、３０ｍｍ、３５ｍｍ、４０ｍｍ、４５ｍｍ、５０ｍｍ、５５ｍｍ及び６０ｍｍ）の全てに、対応可能である。また、溝部の数を可及的に少なくしてあるので、外力に対する強度が高い。
【００１８】
請求項６記載の発明に係るコーナー部保護部材は、請求項５記載のシート状又は板状のコーナー部保護部材では裏面に設けられた複数の溝部のうちの特定の４個の溝部が、表面に設けられているので、請求項５記載のコーナー部保護部材に比べて、コーナー部との接着面積が大きく、接着性良くコーナー部に装着できる。また、裏面に設けられた溝部には空洞（溝部とコーナー部との間にできる空洞）が生じ易いが、表面に設けられた溝部には空洞が生じ得ないので、このコーナー部保護部材は、請求項５記載のコーナー部保護部材に比べて、外力に対する強度が高い。
【００１９】
請求項７記載の発明に係るコーナー部保護部材は、請求項３〜６の各項記載の発明に係るコーナー部保護部材において、裏面に、仮想基準線に沿ってさらに１個の溝部が設けられているので、その溝部において屈曲させることにより、断面Ｌ字状のコーナー部等の面取りが施されていないコーナー部に、装着することができる。このコーナー部保護部材は、面取りが施されたコーナー部のみならず、面取りが施されていないコーナー部、例えば曲面で形成された、いわゆるＲ形状のコーナー部などにも対応可能である。
【発明を実施するための最良の形態】
【００２０】
以下、本発明を、実施形態に基づいて詳細に説明するが、本発明は下記の実施形態に限定されるものではなく、その要旨を変更しない範囲において適宜変更して実施することが可能である。
【００２１】
図１は本発明に係るコーナー部保護部材Ｃ１の断面図である。図示のコーナー部保護部材Ｃ１は、幅、高さ、厚みがそれぞれ１００ｍｍ、２０００ｍｍ、６ｍｍの板状の部材であり、本体部１と、高さ方向（図面に垂直の方向）に沿って両端縁まで延びる８個の溝部２１，２２，…，２８とからなる。同図において、コーナー部保護部材Ｃ１の紙面上方側が表面側であり、コーナー部保護部材Ｃ１の図面下方側が裏面側である。
【００２２】
本体部１は塩化ビニル系樹脂を押出成形して作製されている。ロール成形、射出成形等の他の方法により作製してもよい。本体部１の材料も、各溝部において屈曲させることが可能な材料であれば特に制限されない。塩化ビニル系樹脂以外の材料としては、オレフィン系樹脂、ゴム等の伸縮性を有する材料が例示される。アルミニウム等の展延性を有する金属材料も、各溝部において屈曲可能なものであれば、使用することができる。中でも、塩化ビニル系樹脂が、曲げ加工が容易で、衝撃強度が高い点で、好ましい。塩化ビニル系樹脂としては、曲げ加工性と表面強度との物性バランスの点で、塩化ビニル系樹脂１００重量部に対して可塑剤２０〜６０重量部及び充填剤０〜７０重量部を配合したものが好ましく、塩化ビニル系樹脂１００重量部に対して可塑剤３０〜５０重量部及び充填剤０〜５０重量部を配合したものがより好ましい。図示の本体部１は単一の材料で作製されているが、これを、衝撃強度が高い比較的硬質の表面層と衝撃吸収性に優れる比較的軟質の内部層との２層構造としてもよい。また、装飾性などを高める目的で、表面に印刷シートの貼着や異色チップ混入による模様の付与などを行ってもよい。
【００２３】
溝部は、押出成形時に形成されており、本体部１の表面及び裏面にそれぞれ４個設けられている。裏面に設けられた４個の溝部２１，２２，２３，２４のうち、図中左から２番目の溝部２２は、断面Ｌ字状のコーナー部等の面取りが施されていないコーナー部に装着する場合に屈曲部として用いる溝部（以下、「非面取り部用溝部」と記すことがある）であり、裏面に設けられた他の３個の溝部２１，２３，２４と表面に設けられた４個の溝部２５，２６，２７，２８は、面取りが施されたコーナー部に装着する場合に屈曲部として用いる溝部（以下、「面取り部用溝部」と記すことがある）である。溝部２２は、断面Ｌ字状のコーナー部などに対応可能なように、裏面の他の溝部２１，２３，２４に比べて、溝幅を大きくしてある。裏面の面取り部用溝部２１，２３，２４の溝幅を非面取り部用溝部２２のそれと同じくらいに大きくしてもよいが、面取り部用溝部２１，２３，２４の溝幅を必要以上に大きくするとコーナー部との接着面積が減少して接着強度が低下するので、図１に示す如く、裏面の面取り部用溝部２１，２３，２４の溝幅は、屈曲させるのに必要な程度の大きさにとどめることが好ましい。図示の本体部１では、７個の面取り部用溝部２１，２３，２４，２５，２６，２７，２８の溝幅が全て同じ大きさであるが、溝部を広げて屈曲する表面の４個の面取り部用溝部２５，２６，２７，２８の溝幅は、裏面の３個の面取り部用溝部２１，２３，２４のそれらに比べて小さくてもよい。例えば、表面の４個の溝部は、切り込み状としてもよい。また、表面の４個の面取り部用溝部２５，２６，２７，２８を、装飾目的で壁面などに設けられる底目地として利用してもよい。
【００２４】
図１に示す溝部２１〜２８はいずれも断面形状が矩形（長方形乃至正方形）であるが、円弧形、三角形など、任意の断面形状であってよい。溝部２１〜２８の溝幅及び深さは、強度、屈曲性などを考慮して、適宜設定すればよい。出隅部の直線的な輪郭をコーナー部保護部材Ｃ１の外観に表出させたい場合には、出隅角度９０度の断面Ｌ字状コーナー部に対しては、非面取り部用溝部として断面形状が頂角９０度の二等辺三角形である溝部が好ましく、汎用されている面取り角度１３５度のコーナー部に対しては、面取り部用溝部として断面形状が頂角４５度の二等辺三角形である溝部が好ましい。尤も、実際には、柱や壁のコーナー部の出隅や面取りの角度に、多少のバラツキがあることが多い。そのような場合は、その種の寸法誤差があるコーナー部にも柔軟に対応可能な図１に示す如き断面形状が矩形の溝部や断面形状が円弧形や半楕円形の溝部が好ましい。
【００２５】
図１中、Ａはコーナー部保護部材Ｃ１の幅方向に垂直に、且つ高さ方向に沿って延びる仮想基準面であり、本明細書では、この仮想基準面と裏面及び表面とが交差する線を、それぞれ裏面の仮想基準線及び表面の仮想基準線と称する。裏面の面取り部用溝部２１は、裏面の仮想基準線から幅方向に図面上左側に１５ｍｍだけ離間して設けられており、裏面の面取り部用溝部２３，２４は、裏面の仮想基準線から幅方向に図面上右側にそれぞれ２０ｍｍ及び２５ｍｍだけ離間して設けられている。また、表面の面取り部用溝部２５，２６は、表面の仮想基準線から幅方向に図面上左側にそれぞれ３０ｍｍ及び１０ｍｍだけ離間して設けられており、表面の面取り部用溝部２７，２８は、表面の仮想基準線から幅方向に図面上右側にそれぞれ１０ｍｍ及び３０ｍｍだけ離間して設けられている。表面及び裏面にこのように溝部を配置することにより、現在広く採用されている既述した９種類の面取り幅の全てに対応可能である。また、この溝部の配置によれば、表面の面取り部用溝部２５と２８、２６と２７が、それぞれ表面の仮想基準線の両側に対称に位置する。その結果、面取りが施されていないコーナー部や面取り幅が２０ｍｍ叉は６０ｍｍのコーナー部に装着した場合、表面に設けられた２組の溝部がコーナー部の中心両側に対称に現れるので、溝部の配置に対称性のある装飾美に優れたコーナー外観が得られる。さらに、表面の溝部が等間隔（２０ｍｍ間隔）に現れるので、この点でも装飾美に優れたコーナー外観が得られる。表１に、コーナー部保護部材Ｃ１が対応可能な９種類の面取り幅及びそれぞれの面取り幅に対応して屈曲させるべき２個１組の溝部を組番号とともに示す。既述した９種類の面取り幅の全てに対応可能で、且つ表面の面取り部用溝部が、表面の仮想基準線の両側に対称に位置するコーナー部保護部材としては、コーナー部保護部材Ｃ１の外にも、例えば、コーナー部保護部材Ｃ１の第１組及び第３組が共有する溝部２６と第１組と第２組が共有する溝部２７とを、表面に代えて、裏面に設けたコーナー部保護部材があるが（図示せず）、外力に対する強度及び接着強度の点で、コーナー部保護部材Ｃ１に劣る。      
【００２６】
【表１】
2006177114.tif 000003
【００２７】
図２はコーナー部保護部材Ｃ１の面取り幅６０ｍｍの面取りが施された壁面出隅部Ｐへの装着状態を示す断面図であり、図３はコーナー部保護部材Ｃ１の面取りが施されていない壁面出隅部Ｑ（断面略Ｌ字状の出隅部）への装着状態を示す断面図である。両図によく示されるように、コーナー部保護部材Ｃ１は、面取りが施された壁面出隅部Ｐのみならず、面取りが施されていない壁面出隅部Ｑにも、装着することが可能である。コーナー部への装着は、一般に裏面に接着剤を塗布して行う。可能ならば、接着剤に代えて、或いは接着剤とともに、ねじ等の締結手段を用いてもよい。コーナー部の表面が磁性を有する場合は、コーナー部保護部材Ｃ１の裏面の適宜の箇所に適当な数の磁石を埋め込み、磁力により装着してもよい。このようにすれば、コーナー部保護部材Ｃ１の着脱・交換が容易になる。なお、コーナー部保護部材Ｃ１では、仮想基準線から幅方向両端縁までの寸法が同じであるが、仮想基準線は本発明における複数の溝部の相対的な位置関係を示すための便法上のものであるから、用途に応じて、仮想基準線からいずれか一方の幅方向端縁までの寸法を他方のそれよりも長くしてもよい。
【００２８】
図４は、本発明に係る別のコーナー部保護部材Ｃ２の断面図である。同図に示すコーナー部保護部材Ｃ２は、本体部２の裏面に５個の溝部３１，３２，３３，３４，３５、本体部２の表面に６個の溝部３６，３７，３８，３９，４０，４１を有する。これらの溝部のうち、溝部３３が非面取り部用溝部であり、他は全て面取り部用溝部である。コーナー部保護部材Ｃ２も、コーナー部保護部材Ｃ１と同様、現在広く採用されている既述した９種類の面取り幅の全てに対応可能である。また、表面の面取り部用溝部３８と３９、３７と４０、３６と４１が、それぞれ表面の仮想基準線の両側に対称に配置されているので、面取りが施されていないコーナー部や面取り幅が２０ｍｍ、３０ｍｍ、４０ｍｍ、５０ｍｍ又は６０ｍｍのコーナー部に装着した場合、対称美に優れたコーナー外観が得られる。尤も、コーナー部保護部材Ｃ２はコーナー部保護部材Ｃ１に比べて、表面の溝部の数が２個多く、裏面の溝部の数が１個多い。このため、外力に対する強度及び接着強度の点では、コーナー部保護部材Ｃ１に劣る。表２に、対応可能な９種類の面取り幅及びそれぞれの面取り幅に対応して屈曲させるべき２個１組の溝部を組番号とともに示す。
【００２９】
【表２】
2006177114.tif 000004
【００３０】
図５は、本発明に係るさらに別のコーナー部保護部材Ｃ３の断面図である。同図に示すコーナー部保護部材Ｃ３は、本体部３の裏面に３個の溝部５１，５２，５３、本体部３の表面に４個の溝部５４，５５，５６，５７を有する。これらの溝部のうち、溝部５２が非面取り部用溝部であり、他は全て面取り部用溝部である。コーナー部保護部材Ｃ３も、コーナー部保護部材Ｃ１及びＣ２と同様、表面の面取り部用溝部５５と５６、５４と５７が、それぞれ表面の仮想基準線の両側に対称に配置されているので、面取りが施されていないコーナー部や面取り幅が２０ｍｍ、４０ｍｍ又は６０ｍｍのコーナー部に装着した場合、対称美に優れたコーナー外観が得られる。また、コーナー部保護部材Ｃ３は、コーナー部保護部材Ｃ１に比べて、裏面の溝部の数が１個少ないので、外力に対する強度及び接着強度の点で、コーナー部保護部材Ｃ１に優る。尤も、コーナー部保護部材Ｃ３では、現在広く採用されている既述した９種類の面取り幅のうちの５種類にしか対応できない。表３に、対応可能なそれら５種類の面取り幅及びそれぞれの面取り幅に対応して屈曲させるべき２個１組の溝部を組番号とともに示す。
【００３１】
【表３】
2006177114.tif 000005
【００３２】
本発明に係るコーナー部保護部材の幅、高さ、厚みは特に限定されない。また、施工対象たるコーナー部についても、出隅部に限定されず、入隅部にも使用可能である。但し、入隅部に対しては、本発明でいう表面側が裏面側に相当し、同裏面側が表面側に相当することに留意する必要がある。さらに、本発明に係るコーナー部保護部材は上記した３種類のコーナー部保護部材Ｃ１，Ｃ２，Ｃ３に限定されない。例えば、特定の１個の面取り幅に対応する１組の溝部しか設けられていないコーナー部保護部材も本発明に係るコーナー部保護部材であり（請求項１等参照）、９対の溝部が、各対の２個の溝部が仮想基準線を境にして幅方向に対称に、且つ現在広く採用されている既述した９種類の面取り幅のそれぞれに対応した距離だけ離間するように、設けられたコーナー部保護部材も本発明に係るコーナー部保護部材である（請求項３参照）。さらにまた、本発明が規定する屈曲のための溝部とは別に、表面に底目地等の装飾のための溝部、裏面に可撓性やコーナー部との密着性（なじみ性）を高めるための溝部などが設けられたコーナー部保護部材も本発明に係るコーナー部保護部材である。
【００３３】
２個を１組とする溝部の組数を多くすれば、本発明に係るコーナー部保護部材を、例えば、断面が高次の多角形（正１６角形など）の柱、さらには円柱状の柱の保護部材として利用することも可能である。また、コーナー部保護部材の幅方向の長さを大きくすれば、本発明に係るコーナー部保護部材を、腰壁材、見切り材、巾木などとして使用することも可能である。
【図面の簡単な説明】
【００３４】
【図１】本発明に係るコーナー部保護部材の断面図である。
【００３５】
【図２】面取りが施された壁面出隅部への本発明に係るコーナー部保護部材の装着状態を示す断面図である。
【００３６】
【図３】面取りが施されていない壁面出隅部への本発明に係るコーナー部保護部材の装着状態を示す断面図である。
【００３７】
【図４】別の本発明に係るコーナー部保護部材の断面図である。
【００３８】
【図５】さらに別の本発明に係るコーナー部保護部材の断面図である。
【符号の説明】
【００３９】
Ｃ１，Ｃ２，Ｃ３…コーナー部保護部材
１，２，３…本体部
Ａ…仮想基準面
２１〜２８…溝部（２２…非面取り用溝部；２１，２３〜２８…面取り用溝部）
３１〜４１…溝部（３３…非面取り用溝部；３１，３２，３４〜４１…面取り用溝部）  ５１〜５７…溝部（５２…非面取り用溝部；５１，５３〜５７…面取り用溝部）
Ｐ…面取りが施された壁面出隅部
Ｑ…面取りが施されていない壁面出隅部
【図１】
2006177114.tif 000006
【図２】
2006177114.tif 000007
【図３】
2006177114.tif 000008
【図４】
2006177114.tif 000009
【図５】
2006177114.tif 000010